(57)【特許請求の範囲】
【請求項１】
受信機内の基準発振器の基準周波数を調整する基準周波数調整方法であって、
局部発振器から得られた最初の周波数に基づいて受信信号をダウン・コンバートするステップと、
前記ダウン・コンバート後の信号と、局部的に格納された同期符号との相関を求めるステップと、
前記相関からピーク相関値を検出するステップと、
前記ピーク相関値をピーク相関値格納部の内容と比較するステップと、
前記比較の結果に基づいて、前記ダウン・コンバートに使用した周波数を調整するステップとを備え、
該周波数を調整するステップでは、前記比較の結果、前記検出されたピーク相関値が前記ピーク相関値格納部の内容よりも大きければ、さらなる相関と周波数調整を第１のステップ・サイズで繰り返し行って前記基準発振器の基準周波数を調整する一方、前記ピーク相関値が前記ピーク相関値格納部内の値よりも小さいという結果を得たときは、最後に行った前記周波数調整を解除すると共に、さらに、前記第１のステップ・サイズよりも小さな第２のステップ・サイズで分解能を向上させた周波数調整を続行し、前記ピーク相関値格納部の内容よりも大きいピーク相関値を得たならば、さらなる相関と周波数調整を実行することを特徴とする基準周波数調整方法。
【請求項２】
前記周波数を調整するステップでは、前記第２のステップ・サイズで最後に行った前記周波数調整を解除したときは、前記ピーク相関値格納部内の値よりも小さいとして検出されたピーク相関値に応じて、前記第２のステップ・サイズよりも小さな第３のステップ・サイズで、さらに周波数調整を行うことを特徴とする請求項２記載の基準周波数調整方法。
【請求項３】
受信機内の基準発振器の基準周波数を調整する基準周波数調整装置であって、
局部発振器より得られた第１の周波数に基づいて受信信号をダウン・コンバートする手段と、
前記ダウン・コンバート後の信号と、局部的に格納された同期符号との相関を求める手段と、
前記相関からピーク相関値を検出する手段と、
前記ピーク相関値をピーク相関値格納部の内容と比較する手段と、
前記比較の結果に基づいて、前記ダウン・コンバートに使用した周波数を調整する手段とを備え、
該周波数を調整する手段は、前記比較の結果、前記検出されたピーク相関値が前記ピーク相関値格納部の内容よりも大きければ、さらなる相関と周波数調整を第１のステップ・サイズで繰り返し行って前記基準発振器の基準周波数を調整する一方、前記ピーク相関値が前記ピーク相関値格納部内の値よりも小さいという結果を得たときは、最後に行った前記周波数調整を解除すると共に、さらに、前記第１のステップ・サイズよりも小さな第２のステップ・サイズで分解能を向上させた周波数調整を続行し、前記ピーク相関値格納部の内容よりも大きいピーク相関値を得たならば、さらなる相関と周波数調整を実行することを特徴とする基準周波数調整装置。
【請求項４】
前記周波数を調整する手段は、前記第２のステップ・サイズで最後に行った前記周波数調整を解除したときは、前記ピーク相関値格納部内の値よりも小さいとして検出されたピーク相関値に応じて、前記第２のステップ・サイズよりも小さな第３のステップ・サイズで、さらに周波数調整を行うことを特徴とする請求項３記載の基準周波数調整装置。
【請求項５】
請求項１又は２記載の基準周波数調整方法によって基準発振器のオフセットを実質的に調整する装置。
【請求項６】
コンピュータに請求項１又は２記載の基準周波数調整方法を実行させることを特徴とする制御プログラム。
【請求項７】
コンピュータを、請求項３又は４記載の基準周波数調整装置として機能させることを特徴とする制御プログラム。
【発明の詳細な説明】
【０００１】
【発明の属する技術分野】
この発明は、受信機、特にセルラ伝送システムで動作する移動電話機における基準発振器周波数のオフセットを除去するための、基準周波数調整方法及び装置並びに制御プログラムに係り、より詳細には、受信機内の基準発振器の基準周波数調整方法及び装置並びに制御プログラムに関する。
【０００２】
【従来の技術】
セルラ通信システムでは、ネットワーク基地局からの送信タイミングや周波数の精度は、極めて安定した、高精度の基準発振器に依存する。ＵＭＴＳ(Universal Mobile Telecommunication System)のようなシステムや他の移動電話システムには、一定数の、相対的に少ない数のネットワーク基地局があるため、基準発振器及びネットワーク基地局も相対的に高価となり、高精度のものとなる。例えば、標準的な精度は０．０５ｐｐｍであり、さらに高精度な発振器も使用できる。
【０００３】
【発明が解決しようとする課題】
しかしながら、一般的に、かかるシステムには、ネットワーク基地局と通信を行う、さらに多くの移動局が存在する。ＵＭＴＳのようなシステムにおける移動電話機は、競争可能な市場価格で販売することを余儀なくされることから、コストを最小限にする必要がある。従って、通常、移動局の基準発振器には、電圧制御水晶発振器（ＶＣＸＯ）といった低価格の基準発振器が選ばれる。これら低価格の基準発振器の周波数精度は、相対的に低く、例えば、５ｐｐｍである。
【０００４】
移動局の発振器は、より高精度の基準発振器を持つ基地局で使用できるものよりも、その精度が低いため、基地局での送信と、ダウン・コンバージョンに使用する局部的に生成されたキャリア周波数との間における同期に重大な問題が発生しうる。
【０００５】
この発明は、上述の事情に鑑みてなされたもので、キャリア周波数のオフセットを除去するための基準周波数調整方法及び装置並びに制御プログラムを提供することを目的としている。
【０００６】
【課題を解決するための手段】
上記課題を解決するために、請求項１記載の発明は、受信機内の基準発振器の基準周波数を調整する基準周波数調整方法に係り、局部発振器から得られた最初の周波数に基づいて受信信号をダウン・コンバートするステップと、上記ダウン・コンバート後の信号と、局部的に格納された同期符号との相関を求めるステップと、上記相関からピーク相関値を検出するステップと、上記ピーク相関値をピーク相関値格納部の内容と比較するステップと、上記比較の結果に基づいて、上記ダウン・コンバートに使用した周波数を調整するステップとを備え、該周波数を調整するステップでは、上記比較の結果、上記検出されたピーク相関値が上記ピーク相関値格納部の内容よりも大きければ、さらなる相関と周波数調整を第１のステップ・サイズで繰り返し行って上記基準発振器の基準周波数を調整する一方、上記ピーク相関値が上記ピーク相関値格納部内の値よりも小さいという結果を得たときは、最後に行った上記周波数調整を解除すると共に、さらに、上記第１のステップ・サイズよりも小さな第２のステップ・サイズで分解能を向上させた周波数調整を続行し、上記ピーク相関値格納部の内容よりも大きいピーク相関値を得たならば、さらなる相関と周波数調整を実行することを特徴としている。
【０００７】
請求項２記載の発明は、請求項１記載の基準周波数調整方法に係り、上記周波数を調整するステップでは、上記第２のステップ・サイズで最後に行った上記周波数調整を解除したときは、上記ピーク相関値格納部内の値よりも小さいとして検出されたピーク相関値に応じて、上記第２のステップ・サイズよりも小さな第３のステップ・サイズで、さらに周波数調整を行うことを特徴としている。
【０００８】
また、請求項３記載の発明は、受信機内の基準発振器の基準周波数を調整する基準周波数調整装置に係り、局部発振器より得られた第１の周波数に基づいて受信信号をダウン・コンバートする手段と、上記ダウン・コンバート後の信号と、局部的に格納された同期符号との相関を求める手段と、上記相関からピーク相関値を検出する手段と、上記ピーク相関値をピーク相関値格納部の内容と比較する手段と、上記比較の結果に基づいて、上記ダウン・コンバートに使用した周波数を調整する手段とを備え、該周波数を調整する手段は、上記比較の結果、上記検出されたピーク相関値が上記ピーク相関値格納部の内容よりも大きければ、さらなる相関と周波数調整を第１のステップ・サイズで繰り返し行って上記基準発振器の基準周波数を調整する一方、上記ピーク相関値が上記ピーク相関値格納部内の値よりも小さいという結果を得たときは、最後に行った上記周波数調整を解除すると共に、さらに、上記第１のステップ・サイズよりも小さな第２のステップ・サイズで分解能を向上させた周波数調整を続行し、上記ピーク相関値格納部の内容よりも大きいピーク相関値を得たならば、さらなる相関と周波数調整を実行することを特徴としている。
【０００９】
請求項４記載の発明は、請求項３記載の基準周波数調整装置に係り、上記周波数を調整する手段が、上記第２のステップ・サイズで最後に行った上記周波数調整を解除したときは、上記ピーク相関値格納部内の値よりも小さいとして検出されたピーク相関値に応じて、上記第２のステップ・サイズよりも小さな第３のステップ・サイズで、さらに周波数調整を行うことを特徴としている。
【００１０】
また、請求項５記載の発明は、基準発振器のオフセット調整装置に係り、請求項１又は２記載の基準周波数調整方法によって基準発振器のオフセットを実質的に調整することを特徴としている。
【００１１】
また、請求項６記載の発明は、制御プログラムに係り、コンピュータに請求項１又は２記載の基準周波数調整方法を実行させることを特徴としている。
【００１２】
また、請求項７記載の発明は、制御プログラムに係り、コンピュータを、請求項３又は４記載の基準周波数調整装置として機能させることを特徴としている。
【００１４】
【発明の実施の形態】
以下、図面を参照して、この発明の一実施の形態について説明する。この発明の実施の形態が提供する、上記課題の解決方法については、ＵＭＴＳを参照して説明する。なお、この発明は、ＵＭＴＳという送信基準に限定されるものではなく、いかなる広帯域符号分割多元接続（ＷＣＤＭＡ:Wideband Code Division Multiple Access)システムにも適用できる。
【００１５】
最初にＵＭＴＳについて、その概略を説明する。ＵＭＴＳでは、移動局と信号を送受信する基地局は、非同期である。基地局からの送信は、それらを受信する移動局によって、局部的に同期がとられている必要がある。これは、移動ユニットに電源が投入される際に、最初のセル検索において実行される。
【００１６】
ＵＭＴＳの送信信号は、連続するフレームで構成される。また、受信信号は複数の連続するスロットのデータを含み、そのデータの少なくとも１つが同期データからなる。各フレームは、例えば、１５個のスロットを有し、その各々に、使用されるデータ速度で情報が格納されている。各スロットは、複数のシンボルを含んでおり、各シンボルは、２ビットで構成されている。これらの２ビットを使うことで、４位相偏移変調を使用した４つの状態を送信できる。従って、１０個のシンボル・スロットは、２０ビットで構成される。
【００１７】
基地局からの送信は、スロットの境界に位置を合わせた同期チャネル（ＳＣＨ:synchronization channel）と、一次共通制御物理チャネル（ＰＣＣＰＣＨ:primary common control physical channel）を含んでいる。これらのチャネルには、１０個のシンボル・スロットがある。同期チャネルは、図２に示すように、一次同期符号（ＰＳＣ:primary synchronization channel）と二次同期符号（ＳＳＣ:secondary synchronization channel）で構成される。これらは、最初のセル検索で使用される。
【００１８】
移動局による最初のセル検索は、３つのステップで実行される。これらの内、最初のステップは、基地局の送信にスロット同期して、移動局の受信機において最強の信号を与えることである。図１は、基地局の同報送信部１、送信チャネル２、移動局の受信部３を概略的に示している。この例では、２つの基地局（ＢＴＳ１，ＢＴＳ２）からの送信を示している。
【００１９】
基地局の送信は、互いに同期しておらず、上述したスロットとシンボルからなるフレームが送信される。スロットとシンボルに対する時間間隔は一定である。図１において、ＢＴＳ２からの送信に対するスロットの開始が、ＢＴＳ１からの送信に対するスロットの開始よりも、任意の時間ｔだけ遅れている。
【００２０】
基地局ＢＴＳ１，ＢＴＳ２から受信部３への送信は、チャネル２の影響を受ける。ＢＴＳ２からの送信は、３パス（マルチパス）チャネルを通して受信され、ＢＴＳ１の送信は、２パス・チャネルを通して受信されるようになっている。チャネル２があることで、ＢＴＳ１及びＢＴＳ２から受信部３へ信号が渡され、そこで加算される。受信部に格納された予想される一次同期符号を使用して、移動局の受信部が行う受信信号についての相関は、複数の相関ピークを与える。検出される最大のピークは、受信部が同期しているネットワークの基地局に対応する。
【００２１】
相関は、１つのスロットに対して行われ、その結果は、バッファに保持される。そして、複数のスロットについての結果が加算される。ノイズや干渉を削減して、何らかの検出があれば、相関がピークになる。
【００２２】
最初のセル検索の第２のステップで、フレーム同期を確立して、ステップ１で見つけた基地局の符号グループを識別する。最初のセル検索の第３のステップでは、見つけた基地局に割り振られたスクランブル符号を識別する。これら第２、第３のステップの詳細は、この発明に関係しないため、ここでは、詳細に述べないが、当業者には明らかである。
【００２３】
移動局の受信部におけるダウン・コンバージョンでは、受信信号がダウン・コンバートされる正確な周波数は、送信側における周波数と全く同じではない。これは、局部発振器の不正確さからくるもので、このことは、上述したように、その発振器のコストが、基地局で使用しているものより低価格であることに起因している。周波数オフセットがあれば、相関ピークの高さは、減少する。また、そのオフセットが著しければ、相関ピークはノイズと干渉に埋もれてしまい、スロットの境界に同期できなくなる。
【００２４】
ＦＤＤ（周波数分割多重）モードで動作しているときのＵＭＴＳセル検索の性能は、キャリア周波数とサンプリング・クロック周波数ｆｃ，ｆｓｍｐのオフセットによって劣化する。これらは両方とも、移動ユニット内の基準発振器の周波数ｆｘより得られる。
【００２５】
基準周波数の誤差が、キャリア周波数とサンプリング周波数の誤差に転換した場合、同じ誤差が、３つの周波数全てに対して適用されることになる。例えば、１５．３６ＭＨｚのサンプリング・クロック周波数における２ＧＨｚの希望キャリア周波数が、基準周波数において１ｐｐｍの誤差を有することは、キャリア周波数において２ＫＨｚのオフセットがあり、サンプリング・クロック周波数において１５．３６Ｈｚのオフセットがあることを意味する。
【００２６】
広帯域符号分割多元接続（ＷＣＤＭＡ）のセル検索に関する限り、キャリア周波数のオフセットが、受信複合信号の連続した位相変異の原因となる上、サンプリング・クロック周波数のオフセットによって、極めて重要なシステム・タイミングの誤検出が生じる。後者の影響は、多数のタイムスロットを処理した後に判明するため、サンプリング・クロック周波数のオフセットが二の次になってしまう。
【００２７】
キャリア周波数のオフセットがもたらす位相回転によって、受信信号対ノイズ＋干渉比が減少し、その結果、タイミング・インスタンス（スロット境界）の誤検出の確率が高くなる。キャリア周波数のオフセット値が大きいと、受信信号のパワーが大幅に減少することになる。ＵＭＴＳのセル検索プロセスの成功確率が急激に低くなるのは、キャリア周波数のオフセットが大きいことの悪影響の一つである。
【００２８】
特に、サンプリング・クロックのオフセットによって、誤った位置でのスロット境界の検出が行われる。スロット境界の位置誤りが１チップ期間（１／３．８４マイクロ秒）よりも大きければ、残りのセル検索ステップで得られる結果にも誤りが発生する。しかし、実際の周波数の誤差に対して、サンプリング・クロックの誤差による１チップの誤りは、長い時間間隔に渡って観測される。従って、これらの誤差は、キャリア周波数のオフセットに比べて、さほど重要ではない。これらの影響を直ちに判定し、また、それらを利用して、基準周波数を所望の値に近づくよう相殺できることが分かった。基準周波数の誤差が小さくなれば、キャリア周波数とサンプリング・クロック周波数のオフセットもまた小さくなる。
【００２９】
この発明の好適な実施の形態は、ＩＦ／ＲＦ局部発振器、及び周波数についての繰り返しステップによって、キャリア周波数のオフセットを除去する方法及び装置を提供する。
【００３０】
ここで説明する、この発明の実施の形態は、ＵＭＴＳネットワーク内で周波数分割多重（ＦＤＤ）モードで動作する移動局において実行される初期セル検索に適用できる。ＵＭＴＳのセル検索性能は、キャリア周波数とサンプリング周波数のオフセットによって低下する。実際は、キャリア周波数とサンプリング周波数の両方とも、基準発振器（通常は、ＶＣＸＯ）の周波数より得られる。キャリア周波数（ｆｃ）とサンプリング・クロック周波数（ｆｓｍｐ）は、それぞれ式（１）,（２）で表される。これらの式における項ｋ１，ｋ２は定数であり、ｆｘは、移動局の基準発振器より供給される基準周波数である。
【００３１】
ｆｃ＝ｋ１×ｆｘ              ・・・・・・・・・（１）
ｆｓｍｐ＝ｋ２×ｆｘ          ・・・・・・・・・（２）
【００３２】
式（１）,（２）は、水晶発振器で生成された基準周波数の誤差が、キャリア周波数とサンプリング周波数の誤差に転換される様子を示している。ｐｐｍ（parts per million）で表現すると、同じ誤差が、３つの周波数ｆｘ，ｆｃ，ｆｓｍｐ各々に適用される。例えば、所望のキャリア周波数２ＧＨｚと、サンプリング・クロック周波数１５．３６ＭＨｚに対して、（ｆｘにおける）１ｐｐｍの誤差は、キャリア周波数において２ＫＨｚのオフセットに相当し、サンプリング・クロック周波数における１５．３６Ｈｚのオフセットに相当する。基地局によって送信される複合ベースバンド信号は、以下のように表現できる。
【００３３】
【数１】
0004686947.tif 000002
【００３４】
ここで、Ａ（ｔ），θ（ｔ）は、それぞれ、その信号の大きさ、及び位相である。また、送信信号は、フェージング・パスを介して受信された場合、以下の式で表現される。
【００３５】
【数２】
0004686947.tif 000003
【００３６】
ここで、Δωは、ラジアン毎秒で表されるキャリア周波数のオフセットであり、φ（ｔ）は、ドップラー偏移によるランダム位相（ラジアン毎秒）、そして、σ（ｔ）は、ノイズと干渉によるランダム位相である。信号エンベロープのばらつきは、β（ｔ）で表される。
【００３７】
ＵＭＴＳセル検索の第１のステップにおいて、受信信号の同相（Ｉ）成分、及び直交（Ｑ）成分は、一次同期符号と相関がとられる。局部一次同期符号が、受信したＰＣＣＰＣＨ＋ＳＣＨタイムスロットの最初のシンボル（すなわち、スロット境界）と位置が合っている場合、送信信号は、以下のように表される。なお、ここで、Ｍは定数である。
【００３８】
【数３】
0004686947.tif 000004
【００３９】
対応する受信信号と、受信部に格納された局部一次同期符号との相関は、式（５）で示される。なお、Ｔは相関期間である。
【００４０】
【数４】
0004686947.tif 000005
【００４１】
上記の式（５）は、スロット境界における局部一次同期符号と受信信号との相関を表している。局部一次同期符号が既知の信号であるため、キャリア周波数のオフセットは、受信した一次同期符号の位相の変化を測定することで推定できる。簡単のため、ドップラーとノイズ＋干渉の影響を無視すると、式（５）は、以下のように変形することができる。
【００４２】
【数５】
0004686947.tif 000006
【００４３】
そこで、相関のピークは、上記の積分の累乗を求めると分かる。受信ＰＳＣや局部的に生成されたＰＣＳの位置が揃っている場合、Ｍ２＝１と置けるので、以下の関係が相関パワーを表している。
【００４４】
【数６】
0004686947.tif 000007
【００４５】
図３に示すグラフは、式（７）から導出されたもので、相関パワーに対する、１ＰＳＣ（ＵＭＴＳのＦＤＤモードにおける２５６チップ）の相関期間におけるキャリア周波数オフセット（ｐｐｍ）の値を示している。この曲線は、キャリア周波数のオフセットの関数として、受信信号のパワーを示している。また、図４，図５，図６は、静止した移動局に対する、受信相関ピークパワーへのキャリア周波数オフセットの影響を示している。具体的には、図４は、周波数オフセットがないときの全相関の結果を示し、図５は、周波数オフセットが５ｐｐｍのときの全相関の結果であり、図６は、周波数オフセットが７．５ｐｐｍのときの全相関の結果を示している。
【００４６】
これらの図は、キャリア周波数の誤差が大きく、信号対ノイズ＋干渉比が小さい場合、スロットの境界を検知する確率は低くなる、ということを明確に示している。
【００４７】
キャリア周波数のオフセットの大きさは、それが、移動局の受信部における受信ＰＳＣ信号と局部ＰＳＣとの相関に与える影響を検出することで推定できる。上述したように、キャリア周波数のオフセット値が大きいことは、相関パワーの値が小さいことに対応する。相関プロセスは、受信信号のスロットごとに適用し、平均化して、複数の受信スロットの処理をすることによって、一連の平均相関パワーを与える。最大の平均ピークに対応する最大平均パワーが選択され、基準値として保存される。
【００４８】
その結果、キャリア周波数は、ソフトウエア制御によって一連の所定周波数から選択された、周波数シフトを加えることで変化する。その後、相関パワーの測定プロセスを、次のセットの受信信号スロットに適用して、さらに、検出された最大ピークに対応する平均パワーを選択する。この最大ピークの平均パワーが、以前に格納した基準値よりも良ければ、周波数シフトを保持して、その基準値を新たな相関パワーで置き換える。
【００４９】
同様の周波数シフトの適用を継続し、次のセットの受信信号スロットに対して平均パワー計測を実行する。再び、最大ピークの平均パワーが、格納された基準値よりも良ければ、周波数シフトを保持して、その基準値を新たな相関パワーで置換する。
【００５０】
周波数シフトを適用することによって、基準値に比べて、測定した最大相関パワーが減少する場合には、最後の周波数シフトの追加を行わず、その代わり、キャリア周波数に周波数シフトの小さい値を付加する。このプロセスを、全ての適用可能なシフトが使われるまで続ける。よって、格納された基準値に対応するシフトが、適用されるべきオフセットになる。
【００５１】
大きい周波数シフトを適用することによって、パワーの減少が生じるときには、周波数シフトは、適用される次の小さい周波数シフト各々とともに、その大きさが減少する。
【００５２】
繰り返し行われる周波数補正プロセスが終了するとすぐに、ソフトウエアがＵＭＴＳのセル検索プロセスを起動して、移動局がセル内の送信部を自動追跡できるようにする。
【００５３】
図７は、この繰り返しプロセスを示すフローチャートである。最初のステップＳ２では、データ捕捉を行う。ここでは、図１に示す基地局ＢＴＳ１，ＢＴＳ２から到来するデータを受信する。その後、移動局において、受信したＰＣＣＰＣＨ信号と局部ＰＳＣとの全相関をとる（ステップＳ４）。これは、複数のスロットに渡って行われ、最大ピークを選択するピーク選択ブロック（ステップＳ６）に移行する前に、その結果を平均する。
【００５４】
ステップＳ６におけるピーク選択の後、ステップＳ８では、最大ピークの時間位置が、基準ピークとして設定される。その後、繰り返しプロセスが開始される。
【００５５】
あらかじめ決められたステップ長で、基準周波数を上げる。ここで使用するステップ長は、基準発振器、及び所望の測定継続期間に依存する。例えば、５ｐｐｍの誤差に対しては、−５, −２．５, ＋２．５，＋５という４つのステップを使う。より良好な分解能を必要とする場合には、ステップ数を増やして、ステップ・サイズを小さくする。また、例えば、−５, −３, ＋３，＋５のように、全てが最小ステップの倍数ではないステップ・サイズを使用することもできる。最初の基準周波数ステップは、適用される最大のステップであり、他の蓄積されたステップは、全て小さいステップである。一般的に、ステップ長は、連続して５０パーセント、減少する。
【００５６】
その後、再度、同じプロセスが実行される。つまり、ステップＳ１２で、データ捕捉が行われ、ステップＳ１４では、全相関が実行され、ステップＳ１６において、ピークが選択される。新たなピークが、それ以前のピークよりも大きければ、ステップＳ１８で、基準値の変更を行う。そして、ステップＳ２０において、ステップＳ１８で基準ピークに対して何らかの改善がなされたか否かに応じて、ステップＳ１６で基準周波数に適用された周波数ステップを保持するか、あるいは解除する。
【００５７】
図８は、図７に示す方法を実行するための回路図である。ここでは、アンテナ３０を介して、ＲＦ／ＩＦ信号が受信され、そのアンテナが、ダウン・コンバータ３２へ受信信号を供給する。このダウン・コンバータは、局部発振器（ＬＯ）３４からの信号を乗算器３６において定数Ｋ１で乗じて得た信号に応じて、受信信号のダウン・コンバートを行う。ダウン・コンバート後、サンプリング・ユニット３８において、上記の信号に対して、データ捕捉のためのサンプリングが行われる。サンプリングのタイミングは、局部発振器３４からの信号を乗算器４０において定数Ｋ２で乗じて得たサンプリング周波数によって制御される。
【００５８】
サンプリングの後、相関器４４において、サンプル信号と、メモリ４２に局部的に格納されていた一次同期符号ＰＳＣとの相関がとられる。これによって、単一の相関が求められ、あるいは、連続した相関を求めて、平均がとられる。この相関による結果は、ピーク選択器４６に送られ、そこで、最大の相関ピークが検出される。最初、この相関ピークは、初期状態で中身が空になっている基準格納部４８に格納される。このようにするのは、そのピークがピーク比較器５０にも送られ、その比較器によって、そのピークの大きさと基準格納部４８に格納されたピークの大きさとが比較されるからである。そして、比較の結果、現在のピークが大きければ、基準格納部の内容を、新たなピークで上書きする。
【００５９】
ピーク比較器５０によって、基準格納部４８に対して新たなピークの書き込みが行われた場合には、周波数設定部５２が局部発振器３４を調整するよう動作する。再び、サンプリング、相関、ピーク選択、ピーク比較が実行され、新たなピークが以前のピークよりも大きければ、再度、格納された基準を更新する。これは、周波数設定部５２によってステップ・サイズを小さくしながら、全ての周波数ステップが一巡するまで、続けられる。ステップが一巡すると、周波数設定部５２は、セル検索部５４に制御信号を送り、セル基地局の自動追跡を行うプロセスを続行するので、移動電話機は、呼の送信及び受信状態になる。これ以上のセル検索は、この出願の主題からはずれることになる。
【００６０】
なお、上述した実施の形態に係る移動電話機（移動局）は、所定の制御プログラムに従って、その移動電話機の構成各部を制御する不図示のプロセッサ（ＣＰＵ）と、そのＣＰＵが実行する制御プログラムが格納されたＲＯＭ（不図示）と、ＣＰＵの作業領域（ワークエリア）として各種データを格納するためのＲＡＭ（不図示）等を備えている。
【００６１】
以上、この発明の実施の形態を図面により詳述してきたが、具体的な構成は、この実施の形態に限られるものではなく、この発明の趣旨を逸脱しない範囲における種々の設計変更等も、この発明に含まれる。例えば、上述した移動局や移動受信機には、電話機や携帯電話機が含まれる。
【００６２】
【発明の効果】
以上説明したように、この発明の構成によれば、局部発振器より得た周波数を使用して受信信号をダウン・コンバートし、ダウン・コンバート後のデータと、局部的に格納された同期符号との相関を求め、それよりピーク相関値を検出し、そのピーク相関値と、ピーク相関値格納部の内容とを比較した結果に基づいて、ダウン・コンバートに使用した周波数を調整するとともに、比較結果に基づいて、さらなる相関を求めて、さらに周波数調整を行うことで、キャリア周波数のオフセットを除去するための基準周波数オフセットの調整が容易になる。
【００６３】
また、移動局において高精度の基準発振器を持たなくても、誤差の少ないキャリア周波数を得ることができる。
【図面の簡単な説明】
【図１】この発明の一実施の形態に係る基地局から受信機への送信構成を示すブロック図である。
【図２】同基地局から送信される同期チャネルの構成を示す図である。
【図３】同実施の形態に係る正規化相関パワーに対するキャリア周波数オフセットを示すグラフである。
【図４】同実施の形態に係る周波数オフセットがないときの全相関結果を示すグラフである。
【図５】同実施の形態に係る周波数オフセットが５ｐｐｍのときの全相関結果を示すグラフである。
【図６】同実施の形態に係る周波数オフセットが７．５ｐｐｍのときの全相関結果を示すグラフである。
【図７】同実施の形態に係る周波数の補正処理手順を示すフローチャートである。
【図８】図７に示す補正処理手順を実行するための回路図である。
【符号の説明】
１    送信部
２    チャネル
３    受信部
３０    アンテナ
３２    ダウン・コンバータ（ダウン・コンバートする手段）
３４    局部発振器（ＬＯ）
３６，４０    乗算器
３８    サンプリング・ユニット
４２    メモリ
４４    相関器（相関を求める手段）
４６    ピーク選択器（ピーク相関値を検出する手段）
４８    基準格納部
５０    ピーク比較器
５２    周波数設定部（周波数調整を行う手段）
５４    セル検索部
【図１】
0004686947.tif 000008
【図２】
0004686947.tif 000009
【図３】
0004686947.tif 000010
【図４】
0004686947.tif 000011
【図５】
0004686947.tif 000012
【図６】
0004686947.tif 000013
【図７】
0004686947.tif 000014
【図８】
0004686947.tif 000015